(57)【要約】【課題】ビルなどの閉鎖空間における火災、爆発による有毒ガスによる中毒や酸欠事件、硫化水素ガスなどの火山性ガスなどによるガス中毒、酸欠、或いはアスベストなどの有害粉塵漏れ事件などのあらゆる呼吸器系災害に対する防災具において、従来の携帯に不便で全く実用性のないことや、酸欠や有毒ガスの種類によっては有効でないなどの大きな問題点を根本的に解決することを課題としている。  【解決手段】使用者が視力を確保でき、小さく折り畳み可能で、気密性を有する袋を頭部に被ってから首部をベルトなどで軽く閉めて使用者の頭部を袋で覆い、携帯型小型ボンベで軟質の管を通して袋内部に酸素又は酸素リッチ空気又は空気を少量づつ供給する手段を採用した。【選択図】図４
2007321257.tif 000002
【特許請求の範囲】
【請求項１】
一部もしくは全部を透明にすることによって視力を確保でき、小さく折り畳み可能で、通気性のない材料を使用した気密性を有する袋６を、使用者が頭部に被ってから首部でベルト７などを使用して軽く閉めて使用者の頭部を袋６で覆い、携帯型の小型ボンベ９から袋６の内部に酸素や酸素リッチ空気や空気を供給する手段を採用した装置一式を、小さく折り畳んだ袋６などともに外出時にバッグなどの片隅に保管可能な程度の大きさに纏めることによって、常に傍らに所持することを容易にし、被災した時に直ちに使用可能にすることを特徴とする携帯型簡易空気マスク。
【請求項２】
透明プラスチック製などの袋６を採用することを特徴とする請求項１記載の携帯型簡易空気マスク。
【請求項３】
セラミック繊維や金属繊維などの相対的に耐熱性のある繊維を使用した布にシリコーンなどの耐熱樹脂を含浸させて気密性を保持させた薄手の耐熱布に視力を確保する透明な耐熱材質の小さな窓部１１を密着して設けた気密性を有する袋６を採用することを特徴とする請求項１記載の携帯型簡易空気マスク。
【請求項４】
管１０を袋６の下方から内側に挿入し、面ファスナーなどで管１０と袋６の内側の任意の位置に固定してから、袋を頭に被り、ベルト７によって首部で軽く締めて小型ボンベ９から管１０を通して酸素などを袋６内に流入させることを特徴とする請求項１，２，３記載の携帯型簡易空気マスク。
【請求項５】
袋６に空気流入管８を接着して設け、当該空気流入管８と小型ボンベ９とを管１０で連結し、酸素などを袋６内に流入させることを特徴とする請求項１，２，３記載の携帯型簡易空気マスク。
【発明の詳細な説明】
【技術分野】
【０００１】
本発明は、防災用の超小型の携帯型簡易空気マスクに関するものである。
【背景技術】
【０００２】
ビルなどの建物内、地下街、トンネル内などの閉鎖空間における火災、爆発による一酸化炭素などのガスや硫化水素、亜硫酸ガスなどの火山性ガスなどによるガス中毒や酸欠事件がしばしば発生しており、毎年多数の死者と、その数倍の中毒患者が発生し後遺症などに苦しんでいる人が多数いる実態があり、また、例えば直下型の関東大震災などの再来や東海大地震などの大震災が、いつ起こってもおかしくない状況にあると言われていることなどから、これらの災害に対応する防災具の開発努力が鋭意成されているけれども、特に有毒ガスや酸欠や有害粉塵に対する製品の実用化が著しく遅れている現状がある。この主原因は、これらの対応技術の特許などが開示されてはいるが、何れも一長一短があり、また、これらの事件に遭遇する機会が個々の人々にとって極めて僅かな確率であることを挙げられる。即ち、いつ発生するか分からない万が一の遭遇に対処するためには、当該防災器具を常に傍らに置いておかなければならないが、特に携帯性の乏しいことが最大の理由で、次に機能性などの面から優れた製品が乏しかったことが主な原因と推定される。例えば、特許文献１には、災害時にリュックサックを頭に被り、リュック中に内蔵された小型酸素ボンベによって有毒ガスに対処する本格的な防災リュックサックが提案されているが、この特許の技術思想は、リュック内にいろいろな防災用グッツを入れておいて、必要により空気マスクとしても使用可能にしたもので、地震などが発生した避難時に、部屋内などに予め保管されていたリュックを背負って逃げる場合には優れているが、常に持ち歩く用途には、あまりにも大き過ぎて全く適性がない。また特許文献２には、図１に示すような防災スーツ一体ヘルメットが提案されており、図１において折り畳み式の頭部を覆うポリカーボネート製などの透明材料のフルフェイス型のヘルメット１の内側に頭部保護クッション２を有し、ヘルメット１の下部には防炎マスク３が付設され、フィットベルト４によって首部で締めて外気と遮断し、防毒マスク５で有毒ガスを除去する構成となっているが、当該防災スーツ一体ヘルメットは、折り畳み式のヘルメッットを使用し、他の部分も小さく折り畳み可能にして、携帯に便利なように努力しているのではあるが、それでも特にヘルメット部がポリカーボネートなどの球形の硬い透明樹脂成形品であることから折り畳み後にも嵩張ることは避けられず、常に携帯するには余りにも大き過ぎ、またヘルメット部が折り畳み式のために使用時の気密性が不足しやすく、有毒ガスなどが内側に侵入する恐れが高く、また防毒マスクによる有毒ガスの除去方式であるために、酸欠に対しては全く無力なことや、全ての有毒ガスに有効な防毒マスクがないことから有毒ガスの種類によっては無効の場合があるなど実用性に大きな問題があった。
【特許文献１】特開２００３−３２５２２８号公報
【特許文献２】特開２００５−２９９０６４号公報
【発明の開示】
【発明が解決しようとする課題】
【０００３】
本発明は、ビルなどの建物内、地下街、トンネル内などの閉鎖空間における火災、爆発による一酸化炭素、塩化水素、塩素、有機溶剤などの有毒ガスによる中毒や酸欠事件、硫化水素ガス、亜硫酸ガスなどの火山性ガスなどによるガス中毒や酸欠、或いはアスベスト、放射性粒子などの有害粉塵漏れ事件などのあらゆる呼吸器系災害に対する防災具において、従来の携帯に不便で全く実用性のないことや、酸欠や有毒ガスの種類によっては有効でないなどの大きな問題点を根本的に解決することを課題としている。
【課題を解決するための手段】
【０００４】
前記課題を解決するために、本発明においては、使用者が視力を確保でき、小さく折り畳み可能で、通気性のない袋を頭部に被ってから首部をベルトなどで軽く閉めて使用者の頭部を袋で覆い、携帯型小型ボンベで軟質管などを通して袋内部に酸素又は酸素リッチ空気又は空気を少量づつ供給する手段を採用した。
【発明の効果】
【０００５】
本発明の方法によれば、袋を使用することから、極めて小さく折り畳んむことが可能になると同時に、携帯型小型ボンベを使用することによって従来より著しく小さく収納可能となって携帯性が著しく良好となり、バッグなどの片隅などに入れて常時持ち歩く事が極めて容易になり、また酸素や酸素リッチ空気などを少量づつ袋内に導入する空気マスク方式を採用していることから全有毒ガス或いは酸欠或いは有毒粒子漏れなどの全呼吸器系災害に有効であることや、小型ボンベから少量づつ導入することによって長時間に亘って生命維持が可能となることから、トンネル内火災などの長時間に亘る避難時間を充分に確保でき、また袋の一部又は全部に透明材料を採用し、必要により防曇機能を付与させることによって避難時の視力確保をして貴重な命を守ることが容易になるなどの多大な効果を奏する。
【発明を実施するための最良の形態】
【０００６】
本発明における簡易空気マスクの一実施例の側面図を図２に示すが、火災或いは爆発事故などの有毒ガス、酸欠事件などに遭遇した被災者Ａは、直ちに予めバッグの片隅などの小さく折り畳んで収納されていた袋６を開いて頭に被って首部で面ファスナー付きなどのワンタッチで固定できるベルト７やゴム輪によって軽く締めて頭を封入し、袋６に接着固定してある空気流入管８と小型ボンベ９とを耐熱性のある変形可能なシリコンゴムやプラスチック、金属などの管１０で連結し、酸素リッチ空気などの小型ボンベ９を被災者Ａが手で作動させて少しずつ酸素を袋６内に流入させることによって避難に必要な充分な時間を確保し命を守ることができる。
【０００７】
本発明において使用する袋６は、折り畳み可能で、透明で視力を確保できることを要し、また火災などの高熱に耐えるものが望ましいが、そのような理想的ものは現状の市場に殆んどないが、例えば図３に示すようなロックウールやガラス繊維などのセラミック繊維やステンンレスやカーボンファイバーなどの耐熱繊維を使用した布にシリコーンなどの耐熱樹脂を含浸させて気密性を保持させた薄手の耐熱布に視界を確保する透明な耐熱材質の窓部１１を接着して設けたものや、全体が透明プラスチック製で、相対的に引き裂き強度や耐熱性の面で優れた、例えばポリエステル、延伸ポリアミドなどの透明プラスチックを使用した袋６でもよい。なお、前記した耐熱布に透明な耐熱材質の窓部１１を接着して設ける実施例においては、窓部１１に透明で、軟質で、火災などの高温に耐える程度の耐熱性が優れ、折り畳み可能な素材が望ましいのであるが、そのような材料は現状では望めないことから、この部分だけ赤外線カット処理耐熱透明ガラスなどの堅い材質の小窓を接着して設け、この窓部を巻き込むように折り畳み可能にする方法も本発明の範囲内にあり、この採用によって火災などの熱から頭部を守ることもでき、更に延命効果の高い本格的な空気マスクとなる。また避難時の視力確保の目的に呼気の湿気による袋の内側の曇りを防止するために、使用する透明プラスチック部などに界面活性剤使用の帯電防止剤を塗布したり、練り込んだりするなどの防曇処理したものを使用するのが望ましい。
【０００８】
本発明において使用する小型ボンベ９の内容物は、圧縮した酸素ガス、又は酸素リッチ空気又は空気を封入したものが使用可能であるが、安全性と延命時間の面から酸素ガス６０％、窒素ガス４０％程度の酸素リッチ空気の採用が望ましく、例えば６０％酸素ガスの５０ｃｃ、２００気圧用のボンベを採用することによって、常圧で１０リットルのガスが供給できることから、５０ｃｃという極めて小さい小型ボンベ９で充分な延命時間が期待でき、また純酸素ガスのボンベを採用すれば更に長時間の延命効果が得られる。
【０００９】
前記した実施例においては、袋６に空気流入管８が接着固定されている構成を採用しているが、この空気流入管８には、小型ボンベ９を連結していない状態で閉じて外気が内側に入らず、そしてボンベからの圧入時に開く逆止弁を設けることが望ましく、また袋６に空気流入管８を設けず、図４に示すように、軟質の管１０を袋６の内側に挿入してからベルト７で軽く締めて小型ボンベ９から空気を流入する方法であってもよく、この場合においては、袋６の内側と管１０の外側のそれぞれに面ファスナー１２などの雌と雄を適切な位置に付設しておき、その位置にあわせて雄と雌とを圧着することによって使用時に軟質管が外れるのを確実に防止でき、また何れの場合においても、袋の大きさによるが数分程度の短時間であればボンベから酸素を供給しなくても延命可能である。なお本発明においては、前記した管１０を使用しないで直接袋内に酸素を吹き込む方法も本発明の範囲内にある。
【図面の簡単な説明】
【００１０】
【図１】従来法における簡易ガス防毒装置の側面図である。
【図２】本発明における袋に空気流入管を接着して設けた携帯型簡易空気マスクを被災者が装着した使用状態の側面図である。
【図３】本発明における薄手の耐熱布に視界を確保する耐熱材料の透明な窓部１１を接着して設けた場合の正面図である。
【図４】本発明における袋に直接軟質な管を挿入した場合の携帯型簡易空気マスクを被災者が装着した使用状態の側面図である。
【符号の説明】
【００１１】
１    ヘルメット                        ２    頭部保護クッション  
３    防炎マスク                        ４    フィットベルト  
５    防毒マスク                        ６    袋
７    ベルト                            ８    空気流入管
９    小型ボンベ                        １０  管
１１  窓部                              １２  面ファスナー
Ａ    被災者
【図１】
2007321257.tif 000003
【図２】
2007321257.tif 000004
【図３】
2007321257.tif 000005
【図４】
2007321257.tif 000006